(57)【要約】【課題】携帯電話などの携帯型通信機器用のデータの編集・保存などの管理を効果的に行うことができる携帯型通信機器用データ管理システムを提供する。【解決手段】本発明の携帯型通信機器用データ管理システムは、携帯型通信機器である携帯電話３０と、携帯型通信機器である携帯電話３０のデータの編集や保存を行うＰＣ２０と、ＰＣ２０のＵＳＢポート２１と携帯型通信機器である携帯電話３０の接続ポート３１に接続され、ＰＣ２０と携帯型通信機器である携帯電話３０との間でデータの転送を行うＵＳＢケーブル１０と、を備える。【選択図】図１
2008283721.tif 000002
【特許請求の範囲】
【請求項１】
携帯電話などの携帯型通信機器と、
前記携帯型通信機器のデータの編集や保存を行うコンピュータと、
前記コンピュータのＵＳＢ（Ｕｎｉｖｅｒｓａｌ Ｓｅｒｉａｌ Ｂｕｓ）ポートと前記携帯型通信機器の接続ポートに接続され、前記コンピュータと前記携帯型通信機器との間でデータの転送を行うＵＳＢケーブルと、
を備えた携帯型通信機器用データ管理システムにおいて、
前記コンピュータは、
文字データを編集管理する文字データ編集管理手段と、
画像データを編集管理する画像データ編集管理手段と、
音源データを編集管理する音源データ編集管理手段と、
前記文字データ編集管理手段、前記画像データ編集管理手段及び前記音源データ編集管理手段で処理されたデータを記憶するデータ記憶手段と、
前記ＵＳＢケーブルに接続されるＵＳＢポートと、
前記ＵＳＢポートから転送する又は転送されてきたデータを一時的に記憶する転送バッファと、
前記転送バッファに記憶されている前記ＵＳＢポートから転送されてきたデータの種類を判断し、当該データの種類に応じて前記文字データ編集管理手段、前記画像データ編集管理手段又は前記音源データ編集管理手段に前記データを転送するデータ管理制御手段と、
を備える、
ことを特徴とする携帯型通信機器用データ管理システム。
【請求項２】
前記携帯型通信機器は、画像データを再生する機能を備える、ことを特徴とする携帯型通信機器用データ管理システム。
【請求項３】
携帯型通信機器用データを編集し保存する携帯型通信機器用データ管理方法であって、
（Ａ）携帯電話などの携帯型通信機器で再生可能なデータを受け取り、
（Ｂ）受け取った前記データの種類を判断し、
（Ｃ）データの種類に応じて当該データを編集し、
（Ｄ）編集したデータを記憶する、
ことを特徴とする携帯型通信機器用データ管理方法。
【請求項４】
さらに、（Ｅ）記憶しているデータを携帯型通信機器に転送する、
ことを特徴とする請求項３記載の携帯型通信機器用データ管理方法。
【請求項５】
コンピュータに携帯型通信機器用データの管理を行わせるためのプログラムであって、
前記請求項１又は２記載の携帯型通信機器用データ管理システムの機能を、コンピュータに実現させるためのプログラム。
【請求項６】
コンピュータに携帯型通信機器用データの管理を行わせるためのプログラムであって、
前記請求項３又は４記載の携帯型通信機器用データ管理方法の処理を、コンピュータに実現させるためのプログラム。
【発明の詳細な説明】
【技術分野】
【０００１】
本発明は、ＰＣ（Ｐｅｒｓｏｎａｌ  Ｃｏｍｐｕｔｅｒ）にＵＳＢ（Ｕｎｉｖｅｒｓａｌ  Ｓｅｒｉａｌ  Ｂｕｓ）ケーブルで接続された携帯電話などの携帯型通信機器のデータを編集・保存する携帯型通信機器用データ管理システム、携帯型通信機器用データ管理方法及び携帯型通信機器用データ管理プログラムに関する。特には、携帯型通信機器用の動画や静止画などの画像データを編集・保存し効果的に管理することができる携帯型通信機器用データ管理システム、携帯型通信機器用データ管理方法及び携帯型通信機器用データ管理プログラムに関する。
【背景技術】
【０００２】
近年、ＵＳＢポートが、ＰＣに標準的に装備されるようになってきた。このＵＳＢは、デバイス（外部装置）をツリー構造で接続でき、高速のデータ転送が可能であり、ＰｎＰ（Ｐｌｕｇ  ＆  Ｐｌａｙ）に完全に対応し、接続したデバイスに電源の供給を行え、ＰＣの電源がＯＮの状態で接続や取り外しができるホットプラグ機能を備えている。
【０００３】
このような機能を有するＵＳＢポートには、通常、低電源の供給が必要なキーボードやマウスなどが接続されて使用されている。また、１２［Ｍｂｐｓ］の転送スピードが使用できるため、プリンタ装置やスキャナ装置などの接続も可能である。
【０００４】
一方、インターネットや携帯電話の普及により、携帯電話を通信媒体としてインターネットに接続して使用するということが日常的に行われるようになってきた。
【０００５】
さらに、携帯電話のメモリ機能や表示機能が拡張され、電話番号だけでなく、その電話番号に関連した住所や名前、着信メロディなどのデータをメモリに記録し、それらのデータを表示することができるようになっている。
【０００６】
また、携帯電話をＰＣに接続し、ＰＣから携帯電話のデータを読み出して編集し、再び携帯電話のメモリに記録することができるソフトウェアなども販売されている。
【０００７】
このように、ＰＣのＵＳＢポートに接続される装置が多種多様なものとなり、また、携帯電話をＰＣに接続して使用することが多くなってきた。
【特許文献１】特開２０００−１１５７３２号公報
【特許文献２】特開２０００−３５７０２９号公報
【特許文献３】特開２００２−５０９７８号公報
【特許文献４】特開２００２−２５８９８９号公報
【特許文献５】特開２００２−３１５０６０号公報
【特許文献６】特開２００２−３３０１００号公報
【特許文献７】特開２００３−１５８５６１号公報
【発明の開示】
【発明が解決しようとする課題】
【０００８】
特に、最近の携帯電話などにおいては、デジタルカメラやデジタルビデオカメラの機能を備えたものがあり、携帯電話で撮影し又は受信した画像データを編集したり保存したりすることが求められるようになってきた。この画像データの編集や保存は、携帯電話などの携帯型通信機器で行うにはハードウェア資源などにより非常に限られたものになってしまう。
【０００９】
したがって、上記の点に鑑み、本発明の目的は、ハードウェア資源が豊富でデータ編集用ソフトウェアも種々利用できるＰＣによって携帯電話で撮影し又は受信した画像データを編集・保存することができる携帯型通信機器用データ管理システム、携帯型通信機器用データ管理方法及び携帯型通信機器用データ管理プログラムを提供することである。
【課題を解決するための手段】
【００１０】
上記課題を解決するため、本発明の携帯型通信機器用データ管理システムは、携帯電話などの携帯型通信機器と、携帯型通信機器のデータの編集や保存を行うコンピュータと、コンピュータのＵＳＢ（Ｕｎｉｖｅｒｓａｌ  Ｓｅｒｉａｌ  Ｂｕｓ）ポートと携帯型通信機器の接続ポートに接続され、コンピュータと携帯型通信機器との間でデータの転送を行うＵＳＢケーブルと、を備えた携帯型通信機器用データ管理システムにおいて、コンピュータは、文字データを編集管理する文字データ編集管理手段と、画像データを編集管理する画像データ編集管理手段と、音源データを編集管理する音源データ編集管理手段と、文字データ編集管理手段、画像データ編集管理手段及び音源データ編集管理手段で処理されたデータを記憶するデータ記憶手段と、ＵＳＢケーブルに接続されるＵＳＢポートと、ＵＳＢポートから転送する又は転送されてきたデータを一時的に記憶する転送バッファと、転送バッファに記憶されているＵＳＢポートから転送されてきたデータの種類を判断し、当該データの種類に応じて文字データ編集管理手段、画像データ編集管理手段又は音源データ編集管理手段にデータを転送するデータ管理制御手段と、を備える、ことを特徴とする。
【００１１】
ここで、携帯型通信機器は、画像データを再生する機能を備える、ようにするとよい。
【００１２】
また、上記課題を解決するため、本発明の携帯型通信機器用データ管理方法は、携帯型通信機器用データを編集し保存する携帯型通信機器用データ管理方法であって、（Ａ）携帯電話などの携帯型通信機器で再生可能なデータを受け取り、（Ｂ）受け取った前記データの種類を判断し、（Ｃ）データの種類に応じて当該データを編集し、（Ｄ）編集したデータを記憶する、ことを特徴とする。
【００１３】
さらに、（Ｅ）記憶しているデータを携帯型通信機器に転送する、ことができる。
【００１４】
また、上記課題を解決するため、本発明の第１の態様の携帯型通信機器用データ管理プログラムは、コンピュータに携帯型通信機器用データの管理を行わせるためのプログラムであって、上述した携帯型通信機器用データ管理システムの機能を、コンピュータに実現させることを特徴とする。
【００１５】
また、上記課題を解決するため、本発明の第２の態様の携帯型通信機器用データ管理プログラムは、コンピュータに携帯型通信機器用データの管理を行わせるためのプログラムであって、上述した携帯型通信機器用データ管理方法の処理を、コンピュータに実現させることを特徴とする。
【発明を実施するための最良の形態】
【００１６】
以下、本発明の携帯型通信機器用データ管理システム、携帯型通信機器用データ管理方法及び携帯型通信機器用データ管理プログラムについて図面を参照しつつ説明する。
【００１７】
図１は、本発明の携帯型通信機器用データ管理システムの一形態を示す図である。この携帯型通信機器用データ管理システムは、携帯型通信機器である携帯電話３０と、携帯型通信機器である携帯電話３０のデータの編集や保存を行うＰＣ（Ｐｅｒｓｏｎａｌ  Ｃｏｍｐｕｔｅｒ）２０と、ＰＣ２０のＵＳＢ（Ｕｎｉｖｅｒｓａｌ  Ｓｅｒｉａｌ  Ｂｕｓ）ポート２１と携帯型通信機器である携帯電話３０の接続ポート３１に接続され、ＰＣ２０と携帯型通信機器である携帯電話３０との間でデータの転送を行うＵＳＢケーブル１０と、を備えている。
【００１８】
ここで、ＵＳＢケーブル１０は、ＰＣ２０のＵＳＢポート２１に接続されるＵＳＢ接続端子２と、携帯型通信機器である携帯電話３０の接続ポート３１に接続される接続コネクタ３と、ＵＳＢ接続端子２と接続コネクタ３の間に設けられ、ＰＣ２０のＵＳＢポート２１から供給される電源により、携帯型通信機器である携帯電話３０のバッテリを充電し、ＰＣ２０と携帯型通信機器である携帯電話３０との間で画像・音源・文字などのデータの送受信を行い、さらにＰＣ２０でデータ通信を可能にするモデム機能を備えた制御部１と、ＵＳＢ接続端子２、制御部１及び接続コネクタ３をそれぞれ結線するケーブル４と、を備えている。
【００１９】
また、携帯電話３０には、画像の再生機能が備わっており、また、デジタルカメラやデジタルビデオカメラなどの画像の撮影機能を有することもできる。
【００２０】
図２は、本発明の携帯型通信機器用データ管理システムとして利用されるＰＣ２０の構成の一形態を示す図である。図２において、このＰＣ２０は、ＵＳＢケーブル１０（図１参照）を接続するためのＵＳＢポート２１と、文字データを編集管理する文字データ編集管理部２４と、画像データを編集管理する画像データ編集管理部２５と、音源データを編集管理する音源データ編集管理部２６と、文字データ編集管理部２４、画像データ編集管理部２５及び音源データ編集管理部２６で処理された携帯電話用データを記憶する携帯電話用ＤＢ（Ｄａｔａ  Ｂａｓｅ）２７と、ＵＳＢポート２１から転送する又は転送されてきた携帯電話用データを一時的に記憶する転送バッファ２３と、転送バッファ２３に記憶されているＵＳＢポート２１から転送されてきた携帯電話用データの種類（文字・画像・音源など）を判断し、当該データの種類に応じて文字データ編集管理部２４、画像データ編集管理部２５又は音源データ編集管理部２６にデータを転送するデータ管理制御部２２と、を備える、ことを特徴とする。
【００２１】
図３は、本発明の携帯型通信機器用データ管理方法の処理を示すフローチャートである。図３において、先ず、携帯型通信機器である携帯電話３０で再生可能な携帯電話用データ（文字・画像・音源など）を、ＵＳＢケーブル１０を介してＵＳＢポート２１で受け取り（ステップ３０１）、転送バッファ２３に一時的に記憶する（ステップ３０２）。
【００２２】
次に、データ管理制御部２２は、ＵＳＢポート２１で受け取られ転送バッファ２３に一時的に記憶されている携帯電話用データの種類（文字・画像・音源など）を判断する（ステップ３０３）。
【００２３】
その後、携帯電話用データの種類（文字・画像・音源など）に応じて処理する編集管理部２４〜２６を決定し、決定した編集管理部（２４〜２６の何れか）で当該携帯電話用データを編集する（ステップ３０４）。
【００２４】
そして、何れかの編集管理部（２４〜２６）で編集された携帯電話用データは、携帯電話用ＤＢ２７に記憶される（ステップ３０５）。
【００２５】
この携帯電話用ＤＢ２７に記憶されている携帯電話用データは、必要に応じて、データ管理制御部２２によってＵＳＢポート２１及びＵＳＢケーブル１０を介して携帯型通信機器である携帯電話３０に転送される（ステップ３０６）。
【００２６】
以上、本発明の携帯型通信機器用データ管理システム及び携帯型通信機器用データ管理方法について説明したが、上述した携帯型通信機器用データ管理システムの機能を、コンピュータに実現させるプログラムとすることができ、上述した携帯型通信機器用データ管理方法の処理を、コンピュータに実現させるプログラムとすることができる。
【００２７】
以上のように、本発明の携帯型通信機器用データ管理システム、携帯型通信機器用データ管理方法及び携帯型通信機器用データ管理プログラムによれば、ＵＳＢケーブルに画像データ転送機能を備え、携帯電話などの携帯型通信機器で撮影又は受信した画像データを含む携帯型通信機器用のデータをＰＣに転送して、ＰＣ側で当該データを効果的に編集及び保存することができるようになった。
【図面の簡単な説明】
【００２８】
【図１】本発明の携帯型通信機器用データ管理システムの一形態を示す図である。
【図２】本発明の携帯型通信機器用データ管理システムに利用されるＰＣの構成の一形態を示す図である。
【図３】本発明の携帯型通信機器用データ管理方法の処理を示すフローチャートである。
【符号の説明】
【００２９】
１  制御部
２  ＵＳＢ接続端子
３  接続コネクタ
４  ケーブル
１０  ＵＳＢケーブル
２０  ＰＣ
２１  ＵＳＢポート
２２  データ管理制御部
２３  転送バッファ
２４  文字データ編集管理部
２５  画像データ編集管理部
２６  音源データ編集管理部
２７  携帯電話用ＤＢ
３０  携帯電話
３１  接続ポート
【図１】
2008283721.tif 000003
【図２】
2008283721.tif 000004
【図３】
2008283721.tif 000005
【手続補正書】
【提出日】平成20年8月19日(2008.8.19)
【手続補正１】
【補正対象書類名】特許請求の範囲
【補正対象項目名】全文
【補正方法】変更
【補正の内容】
【特許請求の範囲】
【請求項１】
携帯型通信機器用データ管理システムの制御方法であって、
（Ａ）携帯電話などの携帯型通信機器で再生可能なデータを受け取るステップと、
（Ｂ）受け取った前記データの種類を判断し、判断結果に基づき、データの種類別に用意された複数の編集管理部のいずれで編集を行うかを決定するステップと、
（Ｃ）決定した編集管理部で前記データの編集を行うステップと、
（Ｄ）編集したデータを携帯型通信機器用データベースに記憶させるステップと、
を含むことを特徴とする携帯型通信機器用データ管理システムの制御方法。
【請求項２】
請求項２において、
さらに（Ｅ）携帯型通信機器用データベースに記憶されているデータを携帯型通信機器に転送するステップと、を含むことを特徴とする携帯型通信機器用データ管理システムの制御方法。
【請求項３】
携帯型通信機器用データ管理システムを制御するプログラムであって、コンピュータに
（Ａ）携帯電話などの携帯型通信機器で再生可能なデータを受け取るステップと、
（Ｂ）受け取った前記データの種類を判断し、判断結果に基づき、データの種類別に用意された複数の編集管理部のいずれで編集を行うかを決定するステップと、
（Ｃ）決定した編集管理部で前記データの編集を行うステップと、
（Ｄ）編集したデータを携帯型通信機器用データベースに記憶させるステップと、
を実行させることを特徴とするプログラム。